(57)【要約】  オーバーヘッド情報を送信する本発明の方法は、送信されるべきオーバーヘッド情報を少なくとも２つのオーバーヘッド部分に分割して再形成し、少なくとも２つの対応するデータ・フレームのオーバーヘッド・バイトに少なくとも２つの分割されたオーバーヘッド部分を連続的に挿入し、ここに、少なくとも２つの分割されたオーバーヘッド部分は、オーバーヘッド・バイトに対応し、そして少なくとも２つのデータ・フレームを介して送信する。本発明は、オーバーヘッド情報送信及び受信装置も提供する。本発明でもって、各マイクロ波フレームのオーバーヘッド・バイトによって占有されるチャンネル帯域幅のリソースが大いに減少される。節約されたチャンネル帯域幅が、送信された情報上にエラー修正コードを行うために使用されるならば、コード利得が改善され、受信器上の感度要件が減少され、結局はマイクロ波送信システムの価格が減少される。
2009521883.tif 000002
【特許請求の範囲】
【請求項１】
オーバーヘッド情報を送信するための方法であって、
送信されるべきオーバーヘッド情報を少なくとも２つのオーバーヘッド部分に分割して再形成するステップと、
少なくとも２つのデータ・フレームのオーバーヘッド・バイトに少なくとも２つの分割されたオーバーヘッド部分を連続的に挿入するステップと、ここに、少なくとも２つの分割されたオーバーヘッド部分は、オーバーヘッド・バイトに対応し、
少なくとも２つのデータ・フレームを介して送信するステップと、
を含む方法。
【請求項２】
さらに、
少なくとも２つのデータ・フレームの受信時に、連続的に、各データ・フレームによってキャリされるオーバーヘッド部分を、データ・フレームの受信器によって抽出するステップと、
送信されるべきオーバーヘッド情報を回収して得るステップと、
を含む請求項１に記載の方法。
【請求項３】
データ・フレームは、マイクロ波フレームである請求項１または２に記載の方法。
【請求項４】
送信されるべきオーバーヘッド情報は、適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含む請求項３に記載の方法。
【請求項５】
送信されるべきオーバーヘッド情報を分割して再形成するステップは、
各ＡＴＰＣを４つの１ビット部分に分割し、各Ｌｉｎｋ  ＩＤを１６の１ビット部分に分割し、そして各ＭＶＪ０を８つの１ビット部分に分割し、
ＡＴＰＣの分割された１ビット部分、Ｌｉｎｋ  ＩＤの１ビット部分、ＭＶＪ０の１ビット部分、及びＭＶＶ５オーバーヘッド情報によってキャリされる１つのオーバーヘッド・ビットを多重化して４ビット・オーバーヘッド情報を生成し、
生成された４ビット・オーバーヘッド情報を４ビット・マイクロ波フレーム・マルチフレーム指示、ＭＶＨ４、で指示し、そして
ＭＶＨ４及び４ビット・オーバーヘッド情報を結合して１バイト・オーバーヘッド部分を得る、
ことを含む請求項４に記載の方法。
【請求項６】
少なくとも２つのデータ・フレームを介して送信するステップは、
連続するマイクロ波フレームを介して、分割されたオーバーヘッド部分を順番に送信する、
ことを含む請求項５に記載の方法。
【請求項７】
オーバーヘッド部分生成ユニット及びデータ・フレーム生成ユニットを備えたオーバーヘッド情報送信装置であって、
オーバーヘッド部分生成ユニットは、送信されるべきオーバーヘッド情報を少なくとも２つのオーバーヘッド部分に分割して再形成し、そして少なくとも２つのオーバーヘッド部分をデータ・フレーム生成ユニットに送信することができ、
データ・フレーム生成ユニットは、オーバーヘッド部分生成ユニットから受信された少なくとも２つのオーバーヘッド部分を、少なくとも２つのデータ・フレームのオーバーヘッド・バイトに連続的に挿入し、そして少なくとも２つのデータ・フレームを介して送信することができ、少なくとも２つのオーバーヘッド部分はオーバーヘッド・バイトに対応する、オーバーヘッド情報送信装置。
【請求項８】
オーバーヘッド部分生成ユニットは、オーバーヘッド情報分割モジュール及びオーバーヘッド情報再形成モジュールを備え、
オーバーヘッド情報分割モジュールは、種々の送信されるべきオーバーヘッド情報を少なくとも２つの情報部分に分割し、そして分割された種々のオーバーヘッド情報の情報部分をオーバーヘッド情報再形成モジュールにそれぞれ送信することができ、
オーバーヘッド情報再形成モジュールは、種々のオーバーヘッド情報の受信された情報部分を少なくとも２つのオーバーヘッド部分に再形成することができる、
請求項７に記載のオーバーヘッド情報送信装置。
【請求項９】
送信されるべきオーバーヘッド情報は：適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含み、
オーバーヘッド情報分割モジュールは、さらに、各ＡＴＰＣを４つの１ビット部分に分割し、各Ｌｉｎｋ  ＩＤを１６の１ビット部分に分割し、そして各ＭＶＪ０を８つの１ビット部分に分割するよう構成され、
オーバーヘッド情報再形成モジュールは、さらに、ＡＴＰＣの分割された１ビット部分、Ｌｉｎｋ  ＩＤの１ビット部分、ＭＶＪ０の１ビット部分、及びＭＶＶ５オーバーヘッド情報によってキャリされる１つのオーバーヘッド・ビットを多重化して４ビットのオーバーヘッド情報を生成し、４ビットのＭＶＨ４で４ビットのオーバーヘッド情報を指示し、そしてＭＶＨ４及び４ビットのオーバーヘッド情報を結合して１バイトのオーバーヘッド部分を得るように構成されている、
請求項８に記載のオーバーヘッド情報送信装置。
【請求項１０】
さらに、
受信された少なくとも２つのデータ・フレームから少なくとも２つのオーバーヘッド部分を順番に読取ることができるデータ・フレーム受信ユニットと、
データ・フレーム受信ユニットによって読取られた少なくとも２つのオーバーヘッド部分をオーバーヘッド情報に変換することができるオーバーヘッド情報回収ユニットと、
を備えた請求項７に記載のオーバーヘッド情報送信装置。
【請求項１１】
少なくとも２つの受信されたデータ・フレームから少なくとも２つのオーバーヘッド部分を順番に読取ることができるデータ・フレーム受信ユニットと、
データ・フレーム受信ユニットによって読取られた少なくとも２つのオーバーヘッド部分をオーバーヘッド情報に変換することができるオーバーヘッド情報回収ユニットと、
を備えたオーバーヘッド情報受信装置。
【請求項１２】
オーバーヘッド部分は、１ビットの適応送信電力制御、ＡＴＰＣ、１ビットのマイクロ波リンク経路識別、Ｌｉｎｋ  ＩＤ、１ビットのマイクロ波フレーム信号追跡バイト、ＭＶＪ０、オーバーヘッド・ビット、及び４ビットのマイクロ波フレーム・マルチフレーム指示、ＭＶＨ４を含み、
ＭＶＨ４は、オーバーヘッド情報を指示するために用いられ、オーバーヘッド・ビット及びＭＶＨ４は、マイクロ波フレーム・チャンネル性能状態検出バイト、ＭＶＶ５、オーバーヘッド情報によってキャリされる、
請求項１１に記載のオーバーヘッド情報受信装置。
【請求項１３】
オーバーヘッド情報は、適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含む請求項１１に記載のオーバーヘッド情報受信装置。
【発明の詳細な説明】
【技術分野】
【０００１】
本発明は、マイクロ波送信技術に関し、特に、オーバーヘッド情報を送信するための方法、オーバーヘッド情報送信装置及びオーバーヘッド情報受信装置に関する。
【背景技術】
【０００２】
マイクロ波送信技術の分野において、異なったレートでサービスを送信することにより占有されるチャンネル帯域幅上に厳格な要件が提唱されてきた。例えば、１３ＧＨｚの中心周波数におけるＥ１サービスの４つの経路が４位相シフト・キーイング（ＱＰＳＫ）モードで送信される場合、欧州電気通信標準化機構（ＥＴＳＩ）は、チャンネル帯域幅が２．７ＭＨｚよりも少ないことを推奨する。ネットワークを柔軟に管理するために、管理のための多量のＲＦＣＯＨ情報が、制限された帯域幅内で送信されるべきである。
【０００３】
現在のところ、産業において用いられる通常のＲＦＣＯＨ情報送信方法は、以下のプロセスを含む。第１に、送信されるべき独立同期ディジタル・ハイアラーキ（ＰＤＨ）サービスまたは同期ディジタル・ハイアラーキ（ＳＤＨ）サービスが、ＰＤＨペイロード（Ｐａｙｌｏａｄ）またはＳＤＨペイロード（Ｐａｙｌｏａｄ）を形成するようパッケージされる；第２に、各ＰＤＨペイロードまたはＳＤＨペイロードに対応するＲＦＣＯＨバイトが、マイクロ波リンクで送信されるマイクロ波フレームを形成するよう、ＰＤＨペイロードまたはＳＤＨペイロードの前に挿入される。該方法によって生成されるマイクロ波フレームのフォーマットが図１に示されている。ＲＦＣＯＨバイトは、主に、フレーム・ヘッダ（ＦＡ）、適応送信電力制御（ＡＴＰＣ）、ネットワーク管理データ通信チャンネル（ＤＣＣ）バイト（ＤＡＴＡ）、オーダ・ワイヤ・バイト（ＲＳＣ）、マイクロ波リンク経路識別（Ｌｉｎｋ  ＩＤ）、マイクロ波フレーム・チャンネル性能状態検出バイト（ＭＶＶ５）及びマイクロ波フレーム信号追跡バイト（ＭＶＪ０）を含んでいる。ＭＶＶ５は、ＢＩＰ２チェック・フォーマットを有するＭＶＢ１ビットと、遠隔のマイクロ波ステーションのエラー指示を示すためのＭＶＲＥＩビットと、遠隔のマイクロ波ステーションのアラーム（欠陥指示）を示すためのＭＶＲＤＩビットとから成る。一般に、各マイクロ波フレームに対して、ＡＴＰＣ、Ｌｉｎｋ  ＩＤ、ＭＶＶ５及びＭＶＪ０のような上述のオーバーヘッド・バイトは、少なくとも４つのバイトを占有し、そのうち、Ｌｉｎｋ  ＩＤは２つのバイトを占有する。
【発明の開示】
【発明が解決しようとする課題】
【０００４】
本発明の実施形態は、オーバーヘッド（ｏｖｅｒｈｅａｄ）情報を送信するための方法、オーバーヘッド情報送信装置及びオーバーヘッド情報受信装置を提供する。該方法及び装置でもって、多量のオーバーヘッド・バイトが、利用可能な送信帯域幅で送信されることができ、受信器の受信感度に関する要件も減少され得る。従って、送信帯域幅、オーバーヘッド・バイトの送信及び受信器の受信感度の間の矛盾が解決される。
【課題を解決するための手段】
【０００５】
オーバーヘッド情報を送信するための本発明の実施形態によって提供される方法は、
送信されるべきオーバーヘッド情報を少なくとも２つのオーバーヘッド部分に分割して再形成するステップと、
少なくとも２つの対応するデータ・フレームのオーバーヘッド・バイトに少なくとも２つの分割されたオーバーヘッド部分を連続的に挿入するステップと、ここに、少なくとも２つの分割されたオーバーヘッド部分は、オーバーヘッド・バイトに対応し、
少なくとも２つのデータ・フレームを介して送信するステップと、
を含む。
【０００６】
オーバーヘッド情報を送信するための本発明の実施形態によって提供される装置は、オーバーヘッド部分生成ユニット及びデータ・フレーム生成ユニットを含み、ここに、
オーバーヘッド部分生成ユニットは、送信されるべきオーバーヘッド情報を少なくとも２つのオーバーヘッド部分に分割して再形成し、そして少なくとも２つのオーバーヘッド部分をデータ・フレーム生成ユニットに送信することができ、
データ・フレーム生成ユニットは、オーバーヘッド部分生成ユニットから受信された少なくとも２つのオーバーヘッド部分を、少なくとも２つのデータ・フレームのオーバーヘッド・バイトに連続的に挿入し、そして少なくとも２つのデータ・フレームを介して送信することができ、少なくとも２つのオーバーヘッド部分はオーバーヘッド・バイトに対応する。
【０００７】
オーバーヘッド情報を受信するための本発明の実施形態によって提供される装置は、
少なくとも２つの受信されたデータ・フレームから少なくとも２つのオーバーヘッド部分を順番に読取ることができるデータ・フレーム受信ユニットと、
データ・フレーム受信ユニットによって読取られた少なくとも２つのオーバーヘッド部分をオーバーヘッド情報に変換することができるオーバーヘッド情報回収ユニットと、
を備える。
【発明の効果】
【０００８】
理解され得るように、現存するオーバーヘッド情報送信方法が用いられるならば、各マイクロ波フレーム・オーバーヘッドの送信は、例えば、ＱＰＳＫモードによって変調されるＥ１サービスの４つの経路に対して、比較的大きい送信帯域幅を占有し、Ｌｉｎｋ  ＩＤのオーバーヘッドは、チャンネル帯域幅の１．５％を占有する。この方法で、ＥＴＳＩによってまとめられた推奨及び規則におけるチャンネル帯域幅の要件に叶うという前提のもとで、マイクロ波フレームのオーバーヘッド・バイトは、比較的大きいチャンネル帯域幅を占有するので、送信される情報を修正するための各マイクロ波フレームのペイロード（Ｐａｙｌｏａｄ）におけるエラー修正バイトは、減少される。エラー修正コードの効率の減少は、コーディング利得の減少をもたらし、このことは、受信器の受信感度に対する比較的高い要件を提唱し、そしてシステムの価格の増加をもたらす。マイクロ波フレームのオーバーヘッドの幾つかのオーバーヘッド・バイトが充分に高速で送信される必要がないという要件を用いることにより、本発明の実施形態は、オーバーヘッド・バイトを幾つかの部分に分割し、複数のマイクロ波フレームにおける分割されたオーバーヘッド・バイトを送信し、それ故、各マイクロ波フレームのオーバーヘッド・バイトによって占有されるチャンネル帯域幅を大いに減少する。本発明の実施形態によって提供される方法でもって、節約されたチャンネル帯域幅が、送信される情報上にエラー修正コードを行うために用いられ得、それ故、コーディング利得を改善し、受信器の受信感度に対する要件を減少し、そしてついにはマイクロ波送信システムの価格を減少する。
【発明を実施するための最良の形態】
【０００９】
本発明の技術的解決法及び長所を一層明瞭にするよう、添付図面並びに実施形態を参照して本発明を以下にさらに詳細に説明する。
【００１０】
マイクロ波フレームのオーバーヘッド・バイトにおいて、Ｌｉｎｋ  ＩＤは、主に、マイクロ波送信中のマイクロ波送信リンクを示すために用いられ、Ｌｉｎｋ  ＩＤは、受信器及び送信器を接続するマイクロ波リンクのアイデンティティ番号である。現在のところ、マイクロ波リンクによって送信されるかまたは受信されるべきＬｉｎｋ  ＩＤは、ソフトウェアを介してセットされ得る。実際に受信されたＬｉｎｋ  ＩＤが、マイクロ波リンクによって受信されるべきＬｉｎｋ  ＩＤと異なっているならば、Ｌｉｎｋ  ＩＤ不一致アラームが発生され、マイクロ波リンクのＬｉｎｋ  ＩＤにコード・エラーがあるか、または受信において不法のマイクロ波リンクのマイクロ波信号があるかを示す。全ネットワークの複雑な状態を考慮して、１から４０９４までの４０９４個のマイクロ波リンクのＬｉｎｋ  ＩＤが定義され、そして４０９４のマイクロ波リンクを示すために１６ビットが必要である。１６ビットがマイクロ波フレームで送信されるならば、２バイトが必要である。前述の説明から分かるように、比較的大きいチャンネル帯域幅が占有され、このことは、運ばれる（ｂｏｒｎｅ）情報のコード利得を減少する。ネットワークのＬｉｎｋ  ＩＤが比較的高い送信レートを必要としないので、本発明の実施形態によれば、Ｌｉｎｋ  ＩＤは、幾つかのマイクロ波フレームでそれぞれ送信される幾つかの部分に分割される。このように、各マイクロ波フレームによってキャリされる（ｃａｒｒｉｅｄ）オーバーヘッド・バイトの数は減少され、そしてオーバーヘッド・バイトによって占有されるチャンネル帯域幅も減少される。例えば、本発明のもう１つの実施形態においては、Ｌｉｎｋ  ＩＤバイトは、２つの連続するマイクロ波フレームでそれぞれ送信される２つの部分に分割され、一方のバイトは、各マイクロ波フレームによってキャリされるオーバーヘッド・バイトから減少される。
【００１１】
上述の方式は、また、マイクロ波フレームのオーバーヘッドにおける高い送信レートを必要としない他のオーバーヘッド・バイトにも適用され得る。該方法は、これらのオーバーヘッド・バイトを幾つかの部分に分割し、異なったオーバーヘッドの対応する部分を多重化し、そして分割された部分を多数のマイクロ波フレームを介して送信することを含む。従って、各マイクロ波フレームでキャリされるオーバーヘッド・バイトの数は、大いに減少され、各マイクロ波フレームにおいて送信されるオーバーヘッド・バイトによって占有されるチャンネル帯域幅も減少される。
【００１２】
本発明の方法を、本発明の一実施形態に従って以下のように詳細に説明する。この実施形態においては、オーバーヘッド・バイトは、低速で送信され得、そしてＭＶＶ５オーバーヘッド情報及び送信のためのＭＶＪ０の８ビットのような多数の部分に分割され得る。ＭＶＶ５オーバーヘッド情報は、ＡＴＰＣの４ビット部分、Ｌｉｎｋ  ＩＤの１６ビット部分、ＭＶＲＥＩの１ビット部分、ＭＶＲＤＩの１ビット部分、及びＭＶＢ１の１ビット部分を含む。
【００１３】
図２に示されるように、本実施形態の方法は、主に、以下を含む：
【００１４】
各ＡＴＰＣを４つの１ビット部分に分割し、各フレームがＡＴＰＣ情報の１ビット部分をキャリする（ｃａｒｒｉｅｓ）４つの連続するマイクロ波フレームで４つの１ビット部分を送信し；各Ｌｉｎｋ  ＩＤを１６の１ビット部分に分割し、各フレームがＬｉｎｋ  ＩＤ情報の１ビット部分をキャリする１６の連続するマイクロ波フレームで１６の部分を送信し；各ＭＶＪ０を８つの１ビット部分に分割し、各フレームがＭＶＪ０情報の１ビット部分をキャリする８つの連続するマイクロ波フレームで８つの部分を送信する。
【００１５】
４つのＡＴＰＣを分割することにより得られる１６ビットの１つと、１つのＬｉｎｋ  ＩＤを分割することにより得られる１６ビットの１つと、２つのＭＶＪ０を分割することにより得られる１６ビットの１つと、ＭＶＲＥＩ、ＭＶＲＤＩまたはＭＶＢ１のようなＭＶＶ５の１つとを多重化して、１６ピースの４ビットのオーバーヘッド情報を発生する。
【００１６】
現在発生されている１６ピースの４ビットのオーバーヘッド情報を示すための４ビットのマルチフレーム指示（ＭＶＨ４）；ＭＶＨ４及び該ＭＶＨ４によって示される４ビットのオーバーヘッド情報、を結合して、マイクロ波フレーム・オーバーヘッド（ＭＶＯＨ）部分と称される１６の１バイト・オーバーヘッド部分を発生し、そして発生された１６のオーバーヘッド部分を、１６の連続するマイクロ波フレームのＲＦＣＯＨに挿入して、マイクロ波リンクで送信される１６のマイクロ波フレームを発生する。
【００１７】
マイクロ波リンクの受信器は、現存する受信方法を用いてマイクロ波フレームを受信し得る。幾つかのマイクロ波フレームを受信した後、受信器は、受信されたマイクロ波フレームをパース（構文解析）して、各オーバーヘッド部分の分割方法に従って、対応のオーバーヘッド・バイトを得る。例えば、４つのマイクロ波フレームを受信した後、受信器は、４つのマイクロ波フレームから受信されたＡＴＰＣビットを結合して完全なＡＴＰＣオーバーヘッドを得ることができ；１６のマイクロ波フレームを受信した後、受信器は、１６のマイクロ波フレームから受信されたＬｉｎｋ  ＩＤビットを結合して完全なＬｉｎｋ  ＩＤを得ることができ；８つのマイクロ波フレームを受信した後、受信器は、８つのマイクロ波フレームから受信されたＭＶＪ０を結合して完全なＭＶＪ０オーバーヘッドを得ることができる。多数のオーバーヘッド部分に分割されたオーバーヘッドは、上述の実施形態における送信レートに対して厳格な要件を有さないので、低いレートで上述のオーバーヘッド・バイトを送信する方法が受容され得る。
【００１８】
上述の実施形態の方法によって生成されるマイクロ波フレームのフォーマットが図３に示されている。図１に示されたマイクロ波フレームのフォーマットと比較すると、オーバーヘッド・バイトの数は、少なくとも７バイトから４バイトに、少なくとも３バイトの減少でもって減少され、このことは、オーバーヘッド・バイトを送信するために占有されるチャンネル帯域幅を大いに節約することができる。
【００１９】
本発明の実施形態は、さらに、ＡＴＰＣの１ビット部分、Ｌｉｎｋ  ＩＤの１ビット部分、ＭＶＪ０の１ビット部分、及びＭＶＶ５のオーバーヘッド情報のオーバーヘッド・ビットを多重化するためのＢに記載された方法を提供する。該方法によって得られる１バイト・オーバーヘッド部分ＭＶＯＨでキャリされるオーバーヘッド・ビットの各々が図４に示されている。オーバーヘッド・バイトの０〜３ビットは、オーバーヘッド・バイトによって送信されるＡＴＰＣビット、Ｌｉｎｋ  ＩＤビット、ＭＶＪ０ビット及びＭＶＶ５オーバーヘッド・ビットを示すためのＭＶＨ４の４つのビットをキャリする。オーバーヘッド・バイトの４番目のビットは、ＡＴＰＣの１ビット部分をキャリし（ｃａｒｒｉｅｓ）、５番目のビットは、Ｌｉｎｋ  ＩＤの１ビット部分をキャリし、６番目のビットは、ＭＶＶ５オーバーヘッドの１ビット部分をキャリし、７番目のビットは、ＭＶＪ０の１ビット部分をキャリする。各ＭＶＨ４に対応するオーバーヘッド情報が表１（Ｔａｂｌｅ  １）に示されている。１６の連続するマイクロ波フレームのオーバーヘッド・バイトで送信されるオーバーヘッド部分も表１（Ｔａｂｌｅ  １）に示されている。
【００２０】
【表１】
2009521883.tif 000003
【００２１】
ＭＶＨ４は、オーバーヘッド情報の組み合せの１６のタイプを示すための４バイトを含む。すなわち、４バイトは、１６のマイクロ波フレームで送信される異なったオーバーヘッド部分をそれぞれ示し得る。表１に示されるように、１つの完全なＡＴＰＣは、各ＡＴＰＣがちょうど４ビットを含むので、４つの連続する無線フレーム（ｒａｄｉｏ  ｆｒａｍｅｓ）で送信され得；１つの完全なＬｉｎｋ  ＩＤは、各Ｌｉｎｋ  ＩＤが１６ビットを含むので、１６の連続する無線フレームで送信され得；１つの完全なＭＶＪ０は、各ＭＶＪ０が８ビットを含むので、８つの連続する無線フレームで送信され得；ＭＶＶ５は、ＭＶＢ１、ＭＶＢ１、ＭＶＲＥＩ及びＭＶＲＤＩの順番で循環的に送信され得る。
【００２２】
本発明の上述の実施形態から分かるように、当該方法は、オーバーヘッド・バイトを幾つかの部分に分割することにより、かつ、多数のマイクロ波フレームを介して受信器に多重化されている部分を送信することにより、各マイクロ波フレームにおけるオーバーヘッド・バイトによって占有されるチャンネル帯域幅を大いに減少し得る。オーバーヘッド・バイトは、送信レートに対する厳格な要件を有さないということが留意される。節約されたチャンネル帯域幅が、送信された情報に関するエラー修正コードを行うために用いられるならば、送信帯域幅、オーバーヘッド・バイトの送信及び受信器の受信感度の間での矛盾が解決され、コード利得が改善され、そして受信器に対する感度要件及びマイクロ波送信システムの価格が減少される。
【００２３】
オーバーヘッド情報の送信装置は、さらに、本発明のもう１つの実施形態によって開示される。図５に示されるように、装置の内部構造は、オーバーヘッド部分生成ユニット及びデータ・フレーム生成ユニットを含んでいる。
【００２４】
オーバーヘッド部分生成ユニットは、送信されるべきオーバーヘッド情報を分割し、かつ分割されたオーバーヘッド情報を少なくとも２つのオーバーヘッド部分に再形成する（ｒｅｆｏｒｍｉｎｇ）ために、そして少なくとも２つのオーバーヘッド部分をデータ・フレーム生成ユニットに送信するために用いられる。
【００２５】
データ・フレーム生成ユニットは、オーバーヘッド部分生成モジュールからの少なくとも２つのオーバーヘッド部分を、オーバーヘッド部分に一対一で対応する少なくとも２つのデータ・フレームのオーバーヘッド・バイトに挿入するために、そして少なくとも２つのオーバーヘッド部分を少なくとも２つのデータ・フレームを介して送信するために用いられる。
【００２６】
オーバーヘッド部分生成ユニットは、さらに、オーバーヘッド情報分割モジュール及びオーバーヘッド情報再形成モジュールを含む。
【００２７】
オーバーヘッド情報分割モジュールは、送信されるべき種々のオーバーヘッド情報を少なくとも２つの情報部分にそれぞれ分割するために、そして種々のオーバーヘッド情報の分割された情報部分を、オーバーヘッド情報再形成モジュールにそれぞれ送信するために用いられる。
【００２８】
オーバーヘッド情報再形成モジュールは、種々のオーバーヘッド情報の受信された情報部分を少なくとも２つのオーバーヘッド部分に再形成するために用いられる。
【００２９】
図５に示される実施形態を参照すると、第１に、オーバーヘッド情報分割モジュールは、送信されるべき各ＡＴＰＣを４つの１ビット部分に分割し、各Ｌｉｎｋ  ＩＤを１６の１ビット部分に分割し、各ＭＶＪ０を８つの１ビット部分に分割し、そして分割されたＡＴＰＣ、Ｌｉｎｋ  ＩＤ、ＭＶＪ０及び送信されるべき他のオーバーヘッド情報を、オーバーヘッド部分生成ユニットにおけるオーバーヘッド情報再形成モジュールに送信するよう構成された少なくとも１つの構成要素を含んでいる。
【００３０】
次に、オーバーヘッド部分生成ユニットのオーバーヘッド情報再形成モジュールは、分割されたＡＴＰＣの１ビット部分、分割されたＬｉｎｋ  ＩＤの１ビット部分、分割されたＭＶＪ０の１ビット部分及びＭＶＶ５オーバーヘッド情報の１つのオーバーヘッド・ビット、例えば、ＭＶＲＥＩ、ＭＶＲＤＩ、またはＭＶＢ１、を多重化するよう構成された少なくとも構成要素を含み、４ビットのオーバーヘッド情報を生成する。オーバーヘッド情報再形成モジュールは、さらに、現在生成されている４ビットのオーバーヘッド情報を示すための４ビットＭＶＨ４と、ＭＶＨ４によって識別された４ビットのオーバーヘッド情報とを結合して１バイトのＭＶＯＨを生成し、そして生成されたＭＶＯＨをデータ・フレーム生成ユニットに送信するよう構成された少なくとも１つの構成要素を備える。
【００３１】
データ・フレーム生成ユニットは、受信されたＭＶＯＨをマイクロ波フレームのＲＦＣＯＨに挿入し、マイクロ波リンクで送信されるマイクロ波フレームを生成する。
【００３２】
オーバーヘッド情報受信装置は、また、データ・フレームを受信するように、本発明の実施形態によって提供される。図６に示されるように、該装置の内部構造は、データ・フレーム受信ユニット及びオーバーヘッド情報回収（ｒｅｃｏｖｅｒｉｎｇ）ユニットを含む。
【００３３】
データ・フレーム受信ユニットは、受信された少なくとも２つのデータ・フレームから少なくとも２つのオーバーヘッド部分を読取るために用いられる。
【００３４】
オーバーヘッド情報回収ユニットは、オーバーヘッド情報にデータ・フレーム受信ユニットによって読取られた少なくとも２つのオーバーヘッド部分を回収するために用いられる。
【００３５】
図２に示された実施形態を参照すると、データ・フレーム受信ユニットは、完全なＡＴＰＣオーバーヘッドを生成するために４つのマイクロ波フレームから受信されたＡＴＰＣビットを結合し、完全なＬｉｎｋ  ＩＤを生成するために１６のマイクロ波フレームから受信されたＬｉｎｋ  ＩＤビットを結合し、そして完全なＭＶＪ０オーバーヘッドを生成するために８つのマイクロ波フレームから受信されたＭＶＪ０ビットを結合するよう構成された少なくとも１つの構成要素を含む。オーバーヘッド情報回収ユニットは、データ・フレーム受信ユニットから受信されたすべてのオーバーヘッド情報を回収するよう構成された少なくとも１つの構成要素を備えている。
【００３６】
オーバーヘッド情報送信装置及びオーバーヘッド情報受信装置は、オーバーヘッド情報の送信及び受信機能を同時に履行するように一体化され得るということが当業者には理解され得る。
【００３７】
上述の実施形態は単に履行モードを提供し、本発明の方法は、上述の実施形態においてオーバーヘッド・バイトのための分割及び多重化モードに制限されないということが留意されるべきであり；オーバーヘッド・バイトのための任意の分割及び多重化モードを用いることは、オーバーヘッド・バイトの数を減少し、かつ送信されたオーバーヘッド・バイトによって占有されるチャンネル帯域幅を減少するという目的を達成し得るということが当業者によって理解され得る。本発明の方法は、また、送信帯域幅、オーバーヘッドの送信及び受信器感度の間での矛盾を解決するために、マイクロ波送信技術とは別の他のオーバーヘッド送信技術にも適用され得る。
【図面の簡単な説明】
【００３８】
【図１】従来のマイクロ波フレームの概略図である。
【図２】本発明の実施形態によるオーバーヘッド情報を送信するための方法を示すフローチャートである。
【図３】本発明の実施形態によるマイクロ波フレームの概略図である。
【図４】本発明の実施形態によるマイクロ波フレーム・オーバーヘッド（ＭＶＯＨ）の概略図である。
【図５】本発明の実施形態によるオーバーヘッド情報を送信するための装置を示す概略図である。
【図６】本発明の実施形態によるオーバーヘッド情報を受信するための装置を示す概略図である。
【図１】
2009521883.tif 000004
【図２】
2009521883.tif 000005
【図３】
2009521883.tif 000006
【図４】
2009521883.tif 000007
【図５】
2009521883.tif 000008
【図６】
2009521883.tif 000009
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
オーバーヘッド情報を送信するための方法であって、
オーバーヘッド情報を少なくとも２つのオーバーヘッド部分に分割して再形成するステップと、
少なくとも２つのデータ・フレームのオーバーヘッド・バイトに少なくとも２つのオーバーヘッド部分を挿入するステップと、ここに、少なくとも２つのオーバーヘッド部分は、オーバーヘッド・バイトに対応し、
少なくとも２つのデータ・フレームを介して少なくとも２つのオーバーヘッド部分を送信するステップと、ここに、データ・フレームは、マイクロ波フレームである、
を含む方法。
【請求項２】
オーバーヘッド情報は、適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含む請求項１に記載の方法。
【請求項３】
オーバーヘッド情報を分割して再形成するステップは、
各ＡＴＰＣを４つの１ビット部分に分割し、各Ｌｉｎｋ  ＩＤを１６の１ビット部分に分割し、そして各ＭＶＪ０を８つの１ビット部分に分割し、
ＡＴＰＣの分割された１ビット部分、Ｌｉｎｋ  ＩＤの１ビット部分、ＭＶＪ０の１ビット部分、及びＭＶＶ５オーバーヘッド情報によってキャリされる１つのオーバーヘッド・ビットを多重化して４ビット・オーバーヘッド情報を生成し、
生成された４ビット・オーバーヘッド情報を４ビット・マイクロ波フレーム・マルチフレーム指示、ＭＶＨ４、で指示し、そして
ＭＶＨ４及び４ビット・オーバーヘッド情報を結合して１バイト・オーバーヘッド部分を得る、
ことを含む請求項２に記載の方法。
【請求項４】
少なくとも２つのデータ・フレームを介して少なくとも２つのオーバーヘッド部分を送信するステップは、
少なくとも２つのマイクロ波フレームを介して、少なくとも２つのオーバーヘッド部分を順番に送信する、
ことを含む請求項１に記載の方法。
【請求項５】
オーバーヘッド情報を受信するための方法であって、
少なくとも２つのデータ・フレームを受信するステップと、
少なくとも２つのデータ・フレームの各々によって運ばれるオーバーヘッド部分を読取るステップと、
少なくとも２つのオーバーヘッド部分をオーバーヘッド情報に変換するステップと、ここに、データ・フレームは、マイクロ波フレームである、
を含む方法。
【請求項６】
オーバーヘッド情報は、適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含む請求項５に記載の方法。
【請求項７】
少なくとも２つのオーバーヘッド部分をオーバーヘッド情報に変換するステップは、
４つのデータ・フレームから読取られたＡＴＰＣの４つの１ビット部分をＡＴＰＣオーバーヘッド部分に結合し、１６のデータ・フレームから読取られたＬｉｎｋ  ＩＤの１６の１ビット部分をＬｉｎｋ  ＩＤオーバーヘッド部分に結合し、８つのデータ・フレームから読取られたＭＶＪ０の８つの１ビット部分をＭＶＪ０オーバーヘッドに結合し、そしてＭＶＶ５オーバーヘッド部分を読取ることと、
ＡＴＰＣオーバーヘッド部分、Ｌｉｎｋ  ＩＤオーバーヘッド部分、ＭＶＪ０オーバーヘッド部分及びＭＶＶ５オーバーヘッド部分をオーバーヘッド情報に結合することと、
を含む請求項６に記載の方法。
【請求項８】
オーバーヘッド情報を少なくとも２つのオーバーヘッド部分に分割して再形成することができるオーバーヘッド部分生成ユニットと、
オーバーヘッド部分生成ユニットから受信された少なくとも２つのオーバーヘッド部分を、少なくとも２つのデータ・フレームのオーバーヘッド・バイトに挿入し、そして少なくとも２つのデータ・フレームを介して少なくとも２つのオーバーヘッド部分を送信することができるデータ・フレーム生成ユニットと、
を備え、ここに、データ・フレームは、マイクロ波フレームであり、そして少なくとも２つのオーバーヘッド部分は、オーバーヘッド・バイトに対応する、オーバーヘッド情報送信装置。
【請求項９】
オーバーヘッド部分生成ユニットは、
オーバーヘッド情報を少なくとも２つの情報部分に分割することができるオーバーヘッド情報分割モジュールと、
オーバーヘッド情報分割モジュールから受信された少なくとも２つの情報部分を少なくとも２つのオーバーヘッド部分に再形成することができるオーバーヘッド情報再形成モジュールと、
を備える請求項８に記載のオーバーヘッド情報送信装置。
【請求項１０】
オーバーヘッド情報は：適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含み、
オーバーヘッド情報分割モジュールは、各ＡＴＰＣを４つの１ビット部分に分割し、各Ｌｉｎｋ  ＩＤを１６の１ビット部分に分割し、そして各ＭＶＪ０を８つの１ビット部分に分割するよう構成された少なくとも１つの構成要素を含み、
オーバーヘッド情報再形成モジュールは、ＡＴＰＣの分割された１ビット部分、Ｌｉｎｋ  ＩＤの１ビット部分、ＭＶＪ０の１ビット部分、及びＭＶＶ５オーバーヘッド情報によってキャリされる１つのオーバーヘッド・ビットを多重化して４ビットのオーバーヘッド情報を生成し、４ビットのＭＶＨ４で４ビットのオーバーヘッド情報を指示し、そしてＭＶＨ４及び４ビットのオーバーヘッド情報を結合して１バイトのオーバーヘッド部分を得るように構成された少なくとも１つの構成要素を含む、
請求項９に記載のオーバーヘッド情報送信装置。
【請求項１１】
少なくとも２つのデータ・フレームを受信して、該少なくとも２つのデータ・フレームから少なくとも２つのオーバーヘッド部分を読取ることができるデータ・フレーム受信ユニットと、
データ・フレーム受信ユニットによって読取られた少なくとも２つのオーバーヘッド部分をオーバーヘッド情報に変換することができるオーバーヘッド情報回収ユニットと、
を備え、ここに、データ・フレームはマイクロ波フレームであるオーバーヘッド情報受信装置。
【請求項１２】
オーバーヘッド情報は、適応送信電力制御、ＡＴＰＣ、マイクロ波リンク経路識別、Ｌｉｎｋ  ＩＤ、マイクロ波フレーム・チャンネル性能状態検出バイト、ＭＶＶ５、及びマイクロ波フレーム信号追跡バイト、ＭＶＪ０、を含み、
データ・フレーム受信ユニットは、４つのデータ・フレームから読取られたＡＴＰＣの４つの１ビット部分を、ＡＴＰＣオーバーヘッド部分に結合し、１６のデータ・フレームから読取られたＬｉｎｋ  ＩＤの１６の１ビット部分を、Ｌｉｎｋ  ＩＤオーバーヘッド部分に結合し、８つのデータ・フレームから読取られたＭＶＪ０の８つの１ビット部分を、ＭＶＪ０オーバーヘッド部分に結合し、そしてＭＶＶ５オーバーヘッド部分を読取るよう構成された少なくとも１つの構成要素を含み、そして、
オーバーヘッド情報回収ユニットは、データ・フレーム受信ユニットから受信された、ＡＴＰＣオーバーヘッド部分、Ｌｉｎｋ  ＩＤオーバーヘッド部分、ＭＶＪ０オーバーヘッド部分及びＭＶＶ５オーバーヘッド部分をオーバーヘッド情報に結合するよう構成された少なくとも１つの構成要素を含む、
請求項１１に記載のオーバーヘッド情報受信装置。
【手続補正２】
【補正対象書類名】明細書
【補正対象項目名】０００１
【補正方法】変更
【補正の内容】
【０００１】
本発明は、マイクロ波送信技術に関し、特に、オーバーヘッド情報を送信するための方法、オーバーヘッド情報を受信するための方法、オーバーヘッド情報送信装置及びオーバーヘッド情報受信装置に関する。
【手続補正３】
【補正対象書類名】明細書
【補正対象項目名】０００４
【補正方法】変更
【補正の内容】
【０００４】
本発明の実施形態は、オーバーヘッド（ｏｖｅｒｈｅａｄ）情報を送信するための方法、オーバーヘッド情報を受信するための方法、オーバーヘッド情報送信装置及びオーバーヘッド情報受信装置を提供する。該方法及び装置でもって、多量のオーバーヘッド・バイトが、利用可能な送信帯域幅で送信されることができ、受信器の受信感度に関する要件も減少され得る。従って、送信帯域幅、オーバーヘッド・バイトの送信及び受信器の受信感度の間の矛盾が解決される。
【手続補正４】
【補正対象書類名】明細書
【補正対象項目名】０００５
【補正方法】変更
【補正の内容】
【０００５】
オーバーヘッド情報を送信するための本発明の実施形態によって提供される方法は、
オーバーヘッド情報を少なくとも２つのオーバーヘッド部分に分割して再形成するステップと、
少なくとも２つの対応するデータ・フレームのオーバーヘッド・バイトに少なくとも２つのオーバーヘッド部分を挿入するステップと、ここに、少なくとも２つのオーバーヘッド部分は、オーバーヘッド・バイトに対応し、
少なくとも２つのデータ・フレームを介して少なくとも２つのオーバーヘッド部分を送信するステップと、
を含み、ここに、データ・フレームは、マイクロ波フレームである。
【手続補正５】
【補正対象書類名】明細書
【補正対象項目名】０００６
【補正方法】変更
【補正の内容】
【０００６】
オーバーヘッド情報を受信するための方法は、
少なくとも２つのデータ・フレームを受信するステップと、
少なくとも２つのデータ・フレームの各々によって運ばれるオーバーヘッド部分を読取るステップと、
少なくとも２つのオーバーヘッド部分をオーバーヘッド情報に変換するステップと、ここに、データ・フレームは、マイクロ波フレームである、
を含む。
オーバーヘッド情報を送信するための本発明の実施形態によって提供される装置は、
オーバーヘッド情報を少なくとも２つのオーバーヘッド部分に分割して再形成することができるオーバーヘッド部分生成ユニットと、
オーバーヘッド部分生成ユニットから受信された少なくとも２つのオーバーヘッド部分を、少なくとも２つのデータ・フレームのオーバーヘッド・バイトに挿入し、そして少なくとも２つのデータ・フレームを介して少なくとも２つのオーバーヘッド部分を送信することができるデータ・フレーム生成ユニットと、
を備え、ここに、データ・フレームは、マイクロ波フレームであり、そして少なくとも２つのオーバーヘッド部分は、オーバーヘッド・バイトに対応する。
【手続補正６】
【補正対象書類名】明細書
【補正対象項目名】０００７
【補正方法】変更
【補正の内容】
【０００７】
オーバーヘッド情報を受信するための本発明の実施形態によって提供される装置は、
少なくとも２つの受信されたデータ・フレームから少なくとも２つのオーバーヘッド部分を順番に読取ることができるデータ・フレーム受信ユニットと、
データ・フレーム受信ユニットによって読取られた少なくとも２つのオーバーヘッド部分をオーバーヘッド情報に変換することができるオーバーヘッド情報回収ユニットと、
を備え、ここに、データ・フレームは、マイクロ波フレームである。
【国際調査報告】
2009521883.tif 000010
2009521883.tif 000011
2009521883.tif 000012
2009521883.tif 000013